(57)【特許請求の範囲】
【請求項１】
浴室内の空気を吸引して外部に排出し且つ浴室内の空気を吸引して加熱したのち乾燥用空気として浴室内の乾燥対象領域に吹き出す換気機能付通風手段と、
前記換気機能付通風手段によって前記乾燥対象領域に吹き出される乾燥用空気の吹出方向を変更する吹出方向変更手段と、
前記換気機能付通風手段及び前記吹出方向変更手段の作動を制御する制御手段とが設けられた浴室乾燥機であって、
前記換気機能付通風手段にて吸引される浴室内の空気の湿度を検出する湿度検出センサが設けられ、
前記制御手段が、
乾燥運転指令が指令されると、前記乾燥用空気の吹出方向を、前記乾燥対象領域に向かい且つ互いに異なる方向となるように定めた複数の乾燥用吹出方向の夫々に対して検査用の設定時間ずつ向けるように、前記吹出方向変更手段を作動させる検査用吹出方向変更処理、及び、前記乾燥用空気の吹出方向を前記複数の乾燥用吹出方向の夫々に向けた状態における前記湿度検出センサの検出情報に基づいて、前記複数の乾燥用吹出方向の夫々についての初期湿度を求める湿度検査処理を実行し、その後、
前記複数の乾燥用吹出方向の夫々についての前記初期湿度及び吹出方向設定条件に基づいて、前記乾燥用空気の吹出方向を前記複数の乾燥用吹出方向のうちのいずれかに設定する吹出方向設定処理、及び、その吹出方向設定処理の設定結果に基づいて、前記乾燥用空気の吹出方向を前記複数の乾燥用吹出方向のうちの設定された乾燥用吹出方向に向けるように、前記吹出方向変更手段を作動させる乾燥用吹出方向変更処理を実行するように構成されている浴室乾燥機。
【請求項２】
前記吹出方向設定条件が、前記複数の乾燥用吹出方向のうちで、前記複数の乾燥用吹出方向の夫々についての前記初期湿度のうちの最も高い湿度となる乾燥用吹出方向を、前記乾燥用空気の吹出方向として優先して設定する条件に設定されている請求項１記載の浴室乾燥機。
【請求項３】
前記吹出方向設定条件が、前記乾燥用空気の吹出方向を、前記複数の乾燥用吹出方向の夫々の方向に順次向けかつ前記複数の乾燥用吹出方向のいずかに向けた状態を終了条件が満たされるまで維持するように定め、且つ、前記複数の乾燥用吹出方向の夫々についての前記初期湿度に基づいて、前記複数の乾燥用吹出方向の夫々の方向に向ける順位を定める条件に設定されている請求項１記載の浴室乾燥機。
【請求項４】
前記吹出方向設定条件が、前記乾燥用空気の吹出方向を前記複数の乾燥用吹出方向の夫々の方向に向ける順位を、前記複数の乾燥用吹出方向のうちで、前記初期湿度が高い乾燥用吹出方向ほど先の順位に定める条件に設定されている請求項３記載の浴室乾燥機。
【請求項５】
前記制御手段が、前記乾燥用吹出方向変更処理の実行中において、前記乾燥用空気の吹出方向を前記複数の乾燥用吹出方向のいずれかに向けた状態における前記湿度検出センサの検出情報に基づいて、その乾燥用吹出方向についての更新用湿度を求める乾燥中湿度検出処理を実行するように構成され、
前記吹出方向設定条件が、前記乾燥用空気の吹出方向を前記複数の乾燥用吹出方向の全てに向けた後は、前記複数の乾燥用吹出方向夫々についての前記更新用湿度を、前記複数の乾燥用吹出方向の夫々についての前記初期湿度に置き換えて、この置き換えられたのちの初期湿度に基づいて前記乾燥用空気の吹出方向を定める条件に設定されている請求項３又は４記載の浴室乾燥機。
【請求項６】
前記吹出方向設定条件における前記終了条件が、前記更新用湿度が次の順位の乾燥用吹出方向についての前記初期湿度よりも低下する条件に設定されている請求項５に記載の浴室乾燥機。
【請求項７】
前記制御手段が、前記乾燥用空気の吹出方向を前記複数の乾燥用吹出方向の全てに向けた後は、前記検査用吹出方向変更処理、及び、前記湿度検査処理を再度実行するように構成され、
前記吹出方向設定条件が、前記乾燥用空気の吹出方向を前記複数の乾燥用吹出方向の全てに向けた後は、再度実行された前記湿度検査処理によって求められた前記複数の乾燥用吹出方向の夫々についての前記初期湿度に基づいて、前記乾燥用空気の吹出方向を定める条件に設定されている請求項３又は４記載の浴室乾燥機。
【請求項８】
前記制御手段が、周期的な設定判定タイミングごとに、前記換気機能付通風手段を換気機能停止状態で乾燥用空気を吹出す換気機能停止状態で作動させ、且つ、その換気機能停止状態を判定時間継続する間において前記湿度検出センサにて検出される湿度が終了判定用設定値以上上昇するときには未乾燥状態であると判定する乾燥終了判定処理を実行して、前記未乾燥状態でないと判定するまで、前記吹出方向設定処理及び前記乾燥用吹出方向変更処理を継続して実行するように構成されている請求項５〜７のいずれか１項に記載の浴室乾燥機。
【発明の詳細な説明】
【技術分野】
【０００１】
本発明は、浴室内の空気を吸引して外部に排出し且つ浴室内の空気を吸引して加熱したのち乾燥用空気として浴室内の乾燥対象領域に吹き出す換気機能付通風手段と、前記換気機能付通風手段によって前記乾燥対象領域に吹き出される乾燥用空気の吹出方向を変更する吹出方向変更手段と、前記換気機能付通風手段及び前記吹出方向変更手段の作動を制御する制御手段とが設けられた浴室乾燥機に関する。
【背景技術】
【０００２】
かかる浴室乾燥機は、乾燥用空気を浴室内の乾燥対象領域に吹き出すことによって、乾燥対象領域に存在する被乾燥物の乾燥を行うようにしたものであり、浴室内の乾燥対象領域とは、被乾燥物としての洗濯物等が置かれる領域や、被乾燥物としての浴槽や浴室の壁面等が存在する領域である。
したがって、乾燥対象領域が、洗濯物等の被乾燥物が置かれる領域である場合には、洗濯物等が乾燥されることになり、乾燥対象領域が、被乾燥物としての浴槽や浴室の壁面が存在する領域である場合には、浴室内の浴槽や壁面が乾燥されることになる。
また、換気機能付通風手段は、一般には、浴室の天井部に設置されるが、浴室の側壁部に設置されることもある。
【０００３】
ちなみに、洗濯物等の被乾燥物を乾燥する場合には、一般に、被乾燥物を支持する棒状体が浴室の対向する側壁の間に配置されて、その棒状体に、被乾燥物を直接支持させることや、被乾燥物を支持するハンガーを支持させることが行われることになる。
一般に、棒状体は複数本用意されることになり、そして、被乾燥物の量に応じて使用本数が変更されることになる。尚、複数本の棒状体を使用するときには、それらの棒状体が平行姿勢で間隔を隔てて設置されることになる。
【０００４】
このように、浴室乾燥機の換気機能付通風手段から乾燥用空気を乾燥対象領域に吹き出すことによって被乾燥物の乾燥を行う際には、換気機能付通風手段から吹出される乾燥用空気を乾燥のために有効に利用して、被乾燥物を効率良く、しかも、むらのない状態で乾燥することが望まれるものとなる。
このため、制御手段が、乾燥運転指令が指令されると、乾燥用空気の吹出方向を、乾燥対象領域に向かう状態で変化させるように、吹出方向変更手段を作動させるように構成されたものがある（例えば、特許文献１参照。）。
【０００５】
特許文献１においては、乾燥用空気の吹出方向を、乾燥対象領域に向かう状態で変化させる具体例として、乾燥用空気の吹出方向を、時間経過に伴って、乾燥対象領域の中央に向けた基準状態と、その基準状態から乾燥対象領域の一端側に向き変更させた一端側状態と、基準状態から乾燥対象領域の他端側に向き変更させた他端側状態とに順次変更させるように構成することが記載され、そして、基準状態に維持する時間を、一端側状態及び他端側状態に夫々に維持する時間よりも長い時間にするように構成することが記載されている。
【先行技術文献】
【特許文献】
【０００６】
【特許文献１】特開２００１−１１６２７６号公報
【発明の概要】
【発明が解決しようとする課題】
【０００７】
従来の浴室乾燥機では、乾燥用空気の吹出方向が乾燥対象領域内において時間経過に伴って変更されるものの、必ずしも、被乾燥物を効率良く乾燥できない虞や、被乾燥物をむらのない状態で乾燥できない虞があり、改善が望まれるものであった。
すなわち、乾燥対象領域には、湿度が多い等により乾燥し難い箇所と湿度が少ない等により乾燥し易い箇所とが存在する場合が多いものであるが、従来では、乾燥用空気の吹出方向が、時間経過に伴って、一義的に定められた形態で変更されるものであるため、効率良く乾燥できない虞や、乾燥むらが発生する虞があった。
【０００８】
洗濯物等の被乾燥物を乾燥する場合について説明を加えると、乾燥用空気の吹出方向が乾燥対象領域内において時間経過に伴って変更されるとしても、乾燥し易い被乾燥物が存在する箇所に対して吹出される乾燥用空気が過多になることや、乾燥し難い被乾燥物が存在する箇所に対して吹出される乾燥用空気が不足することが生じて、被乾燥物をむらのない状態に効率良く乾燥することができない虞があった。
尚、被乾燥物としての浴室の浴槽や壁面を乾燥する場合においても、乾燥し易い箇所と乾燥し難い箇所とが存在して、洗濯物等の被乾燥物を乾燥する場合と同様に、被乾燥物をむらのない状態に効率良く乾燥することができない虞があった。
【０００９】
本発明は、上記実情に鑑みて為されたものであって、その目的は、被乾燥物を効率良く、しかも、むらのない状態で乾燥できる浴室乾燥機を提供する点にある。
【課題を解決するための手段】
【００１０】
本発明の浴室乾燥機は、浴室内の空気を吸引して外部に排出し且つ浴室内の空気を吸引して加熱したのち乾燥用空気として浴室内の乾燥対象領域に吹き出す換気機能付通風手段と、
前記換気機能付通風手段によって前記乾燥対象領域に吹き出される乾燥用空気の吹出方向を変更する吹出方向変更手段と、
前記換気機能付通風手段及び前記吹出方向変更手段の作動を制御する制御手段とが設けられたものであって、その第１特徴構成は、
前記換気機能付通風手段にて吸引される浴室内の空気の湿度を検出する湿度検出センサが設けられ、
前記制御手段が、
乾燥運転指令が指令されると、前記乾燥用空気の吹出方向を、前記乾燥対象領域に向かい且つ互いに異なる方向となるように定めた複数の乾燥用吹出方向の夫々に対して検査用の設定時間ずつ向けるように、前記吹出方向変更手段を作動させる検査用吹出方向変更処理、及び、前記乾燥用空気の吹出方向を前記複数の乾燥用吹出方向の夫々に向けた状態における前記湿度検出センサの検出情報に基づいて、前記複数の乾燥用吹出方向の夫々についての初期湿度を求める湿度検査処理を実行し、その後、
前記複数の乾燥用吹出方向の夫々についての前記初期湿度及び吹出方向設定条件に基づいて、前記乾燥用空気の吹出方向を前記複数の乾燥用吹出方向のうちのいずれかに設定する吹出方向設定処理、及び、その吹出方向設定処理の設定結果に基づいて、前記乾燥用空気の吹出方向を前記複数の乾燥用吹出方向のうちの設定された乾燥用吹出方向に向けるように、前記吹出方向変更手段を作動させる乾燥用吹出方向変更処理を実行するように構成されている点を特徴とする。
【００１１】
すなわち、制御手段が、乾燥運転指令が指令されると、乾燥用空気の吹出方向を、乾燥対象領域に向かい且つ互いに異なる方向となるように定めた複数の乾燥用吹出方向の夫々に対して検査用の設定時間ずつ向けるように、吹出方向変更手段を作動させる検査用吹出方向変更処理、及び、乾燥用空気の吹出方向を複数の乾燥用吹出方向の夫々に向けた状態における湿度検出センサの検出情報に基づいて、複数の乾燥用吹出方向の夫々についての初期湿度を求める湿度検査処理を実行することになる。
【００１２】
つまり、換気機能付通風手段によって乾燥対象領域に向けて吹出された乾燥用空気は、乾燥対象領域を通過したのち、再び換気機能付通風手段にて浴室内の空気として吸引されることになるが、検査用吹出方向変更処理及び湿度検査処理が実行されることにより、乾燥用空気の吹出方向を複数の乾燥用吹出方向の夫々に向けた状態において、換気機能付通風手段にて吸引される浴室内の空気の湿度が湿度検出センサにて検出されて、その検出情報に基づいて、複数の乾燥用吹出方向の夫々についての初期湿度が求められる。
【００１３】
複数の乾燥用吹出方向の夫々についての初期湿度は、乾燥用空気の吹出方向をその乾燥用吹出方向に向けた状態のときに、乾燥用空気にて乾燥されることになる被乾燥物の湿度の大きさ（以下、乾燥負荷と呼称）に対応する値である。
つまり、複数の乾燥用吹出方向の夫々についての初期湿度は、乾燥用空気の吹出方向をその乾燥用吹出方向に向けたときの乾燥負荷を表すことになる。
【００１４】
また、制御手段が、検査用吹出方向変更処理及び湿度検査処理を実行した後は、複数の乾燥用吹出方向の夫々についての初期湿度及び吹出方向設定条件に基づいて、乾燥用空気の吹出方向を複数の乾燥用吹出方向のうちのいずれかに設定する吹出方向設定処理、及び、その吹出方向設定処理の設定結果に基づいて、乾燥用空気の吹出方向を複数の乾燥用吹出方向のうちの設定された乾燥用吹出方向に向けるように、吹出方向変更手段を作動させる乾燥用吹出方向変更処理を実行して、乾燥対象領域に存在する被乾燥物を乾燥させることになる。
【００１５】
つまり、複数の乾燥用吹出方向の夫々についての初期湿度は、上述の如く、乾燥用空気の吹出方向をその乾燥用吹出方向に向けたときの乾燥負荷を表すことになるから、初期湿度が大きい乾燥用吹出方向に向けて乾燥用空気を吹出す状態が、初期湿度が小さい乾燥用吹出方向に向けて乾燥用空気を吹出す状態よりも多くなるようにすることにより、乾燥対象領域に存在する被乾燥物を効率良く、かつ、むらのない状態に乾燥できることになるが、吹出方向設定処理によって、乾燥対象領域に存在する被乾燥物を効率良く、且つ、むらのない状態に乾燥できることになる乾燥用空気の吹出方向を設定して、その設定結果に基づいて、乾燥用吹出方向変更処理にて、乾燥用空気の吹出方向を変更させることにより、乾燥対象領域に存在する被乾燥物を効率良く、且つ、むらのない状態に乾燥できることになる。
【００１６】
ちなみに、乾燥用空気の吹出方向を複数の乾燥用吹出方向のうちのいずれかに設定する吹出方向設定処理とは、乾燥用空気の吹出方向とその吹出方向を終了するタイミングを定める処理である。つまり、この吹出方向設定処理によって、乾燥用空気の吹出方向が設定され、かつ、その吹出方向を時間経過に伴って終了するタイミングが設定されることになる。
そして、この吹出方向設定処理によって設定する乾燥用空気の吹出方向としては、複数の乾燥用吹出方向の全てに順次向けるように定める場合や、複数の乾燥用吹出方向のうちの一部に定める場合がある。
また、設定した乾燥用空気の吹出方向を時間経過に伴って終了するタイミングとは、経過時間に基づいて終了タイミングを判別する場合や、湿度検出センサの検出情報に基づいて乾燥の進み具合を確認しながら終了タイミングを判別する場合がある。
【００１７】
要するに、本発明の第１特徴構成によれば、被乾燥物を効率良く、しかも、むらのない状態で乾燥できる浴室乾燥機を提供できる。
【００１８】
本発明の第２特徴構成は、上記した第１特徴構成に加えて、
前記吹出方向設定条件が、前記複数の乾燥用吹出方向のうちで、前記複数の乾燥用吹出方向の夫々についての前記初期湿度のうちの最も高い湿度となる乾燥用吹出方向を、前記乾燥用空気の吹出方向として優先して設定する条件に設定されている点を特徴とする。
【００１９】
すなわち、吹出方向設定条件が、複数の乾燥用吹出方向のうちで、複数の乾燥用吹出方向の夫々についての初期湿度のうちの最も高い湿度となる乾燥用吹出方向を、乾燥用空気の吹出方向として優先して設定する条件に設定されているから、吹出方向設定処理によって、乾燥用空気の吹出方向が、複数の乾燥用吹出方向の夫々についての初期湿度のうちの最も高い湿度となる乾燥用吹出方向に優先して設定されることになる。
【００２０】
このように、乾燥用空気の吹出方向を、複数の乾燥用吹出方向の夫々についての初期湿度のうちの最も高い湿度となる乾燥用吹出方向に優先して設定して、その乾燥用吹出方向に向けて乾燥用空気を吹き出すことにより、乾燥負荷が大きい乾燥用吹出方向での乾燥を優先して行えることになるため、被乾燥物を一層効率良く乾燥し、また、乾燥物を一層むらのない状態に乾燥し易いものとなる。
【００２１】
つまり、乾燥用空気の吹出方向を複数の乾燥用吹出方向のいずれかに設定して、乾燥用空気を吹き出した状態においては、その乾燥用吹出方向での乾燥負荷に対する乾燥を的確に行えることになるが、加えて、他の乾燥用吹出方向での乾燥負荷に対する乾燥にも寄与することになるため、乾燥用空気の吹出方向を、複数の乾燥用吹出方向の夫々についての初期湿度のうちの最も高い湿度となる乾燥用吹出方向に優先して設定して、その乾燥用吹出方向に向けて乾燥用空気を吹き出すことにより、初期湿度が高い乾燥用吹出方向での乾燥負荷に対する乾燥を的確に行いながら、他の乾燥用吹出方向での乾燥負荷に対する乾燥も行うことができるものとなって、被乾燥物を一層効率良く乾燥し、また、乾燥物を一層むらのない状態に乾燥し易いものとなるのである。
【００２２】
要するに、本発明の第２特徴構成によれば、上記した第１特徴構成による作用効果に加えて、被乾燥物を一層効率良く乾燥し、また、乾燥物を一層むらのない状態に乾燥し易いものとなる浴室乾燥機を提供できる。
【００２３】
本発明の第３特徴構成は、上記した第１特徴構成に加えて、
前記吹出方向設定条件が、前記乾燥用空気の吹出方向を、前記複数の乾燥用吹出方向の夫々の方向に順次向けかつ前記複数の乾燥用吹出方向のいずかに向けた状態を終了条件が満たされるまで維持するように定め、且つ、前記複数の乾燥用吹出方向の夫々についての前記初期湿度に基づいて、前記複数の乾燥用吹出方向の夫々の方向に向ける順位を定める条件に設定されている点を特徴とする。
【００２４】
すなわち、吹出方向設定条件が、乾燥用空気の吹出方向を、複数の乾燥用吹出方向の夫々の方向に順次向けかつ複数の乾燥用吹出方向のいずかに向けた状態を終了条件が満たされるまで維持するように定める条件に設定されているから、吹出方向設定処理によって、乾燥用空気の吹出方向が、複数の乾燥用吹出方向の夫々の方向に順次向けかつ複数の乾燥用吹出方向のいずかに向けた状態を終了条件が満たされるまで維持するように定められることになり、その設定結果に基づいて、吹出方向設定処理によって、乾燥用空気の吹出方向が、終了条件が満たされると、次の乾燥用吹出方向に変更される形態で、複数の乾燥用吹出方向の夫々の方向に順次向けられることになる。
【００２５】
このように、乾燥用空気の吹出方向が、複数の乾燥用吹出方向の夫々の方向に順次向けられることになるため、乾燥対象領域に存在する被乾燥物の全体を良好に乾燥することができるものとなる。
【００２６】
そして、吹出方向設定条件が、複数の乾燥用吹出方向の夫々についての初期湿度に基づいて、乾燥用空気の吹出方向を複数の乾燥用吹出方向の夫々の方向に向ける順位を定める条件に設定されているから、例えば、乾燥用空気の吹出方向を向ける順位を、初期湿度が大きい乾燥用吹出方向を初期湿度が小さい乾燥用吹出方向よりも早い順位にして、初期湿度が大きい乾燥用吹出方向での乾燥を的確に行いながら、他の乾燥用吹出方向での乾燥をも進めるようにする等、乾燥用空気の吹出方向を複数の乾燥用吹出方向の夫々の方向に向ける順位を、被乾燥物を効率良く乾燥し、また、被乾燥物をむらのない状態に乾燥できる順位に設定できることになる。
【００２７】
要するに、本発明の第３特徴構成によれば、上記第１特徴構成による作用効果に加えて、乾燥対象領域に存在する被乾燥物の全体を良好に乾燥することができ、加えて、被乾燥物を効率良く、かつ、むらのない状態に乾燥できる浴室乾燥機を提供できる。
【００２８】
本発明の第４特徴構成は、上記第３特徴構成に加えて、
前記吹出方向設定条件が、前記乾燥用空気の吹出方向を前記複数の乾燥用吹出方向の夫々の方向に向ける順位を、前記複数の乾燥用吹出方向のうちで、前記初期湿度が高い乾燥用吹出方向ほど先の順位に定める条件に設定されている点を特徴とする。
【００２９】
すなわち、吹出方向設定条件が、乾燥用空気の吹出方向を複数の乾燥用吹出方向の夫々の方向に向ける順位を、複数の乾燥用吹出方向のうちで、初期湿度が高い乾燥用吹出方向ほど先の順位に定める条件に設定されているから、吹出方向設定処理によって、乾燥用空気の吹出方向を複数の乾燥用吹出方向の夫々の方向に向ける順位が、複数の乾燥用吹出方向のうちで、初期湿度が高い乾燥用吹出方向ほど先の順位に設定されることになる。
【００３０】
このように、乾燥用空気の吹出方向を複数の乾燥用吹出方向の夫々の方向に向ける順位を、複数の乾燥用吹出方向のうちで、初期湿度が高い乾燥用吹出方向ほど先の順位に定めて、複数の乾燥用吹出方向の夫々に向けて乾燥用空気を吹き出すものであるから、乾燥負荷が大きい乾燥用吹出方向での乾燥を優先して行えることになるため、被乾燥物を一層効率良く乾燥し、また、乾燥物を一層むらのない状態に乾燥し易いものとなる。
【００３１】
つまり、乾燥用空気の吹出方向を複数の乾燥用吹出方向のいずれかに設定して、乾燥用空気を吹き出した状態においては、その乾燥用吹出方向での乾燥負荷に対する乾燥を的確に行えることになるが、加えて、他の乾燥用吹出方向での乾燥負荷に対する乾燥にも寄与することになるため、乾燥用空気の吹出方向を複数の乾燥用吹出方向の夫々の方向に向ける順位を、複数の乾燥用吹出方向のうちで、初期湿度が高い乾燥用吹出方向ほど先の順位に定める条件に設定して、複数の乾燥用吹出方向の夫々に向けて乾燥用空気を吹き出すことにより、初期湿度が高い乾燥用吹出方向での乾燥負荷に対する乾燥を的確に行いながら、他の乾燥用吹出方向での乾燥負荷に対する乾燥も行うことができるものとなって、被乾燥物を一層効率良く乾燥し、また、乾燥物を一層むらのない状態に乾燥し易いものとなるのである。
【００３２】
要するに、本発明の第４特徴構成によれば、上記した第３特徴構成による作用効果に加えて、被乾燥物を一層効率良く乾燥し、また、乾燥物を一層むらのない状態に乾燥し易いものとなる浴室乾燥機を提供できる。
【００３３】
本発明の第５特徴構成は、上記第３又は第４特徴構成に加えて、
前記制御手段が、前記乾燥用吹出方向変更処理の実行中において、前記乾燥用空気の吹出方向を前記複数の乾燥用吹出方向のいずれかに向けた状態における前記湿度検出センサの検出情報に基づいて、その乾燥用吹出方向についての更新用湿度を求める乾燥中湿度検出処理を実行するように構成され、
前記吹出方向設定条件が、前記乾燥用空気の吹出方向を前記複数の乾燥用吹出方向の全てに向けた後は、前記複数の乾燥用吹出方向夫々についての前記更新用湿度を、前記複数の乾燥用吹出方向の夫々についての前記初期湿度に置き換えて、この置き換えられたのちの初期湿度に基づいて前記乾燥用空気の吹出方向を定める条件に設定されている点を特徴とする。
【００３４】
すなわち、制御手段が、乾燥用吹出方向変更処理の実行中において、乾燥中湿度検出処理を実行して、乾燥用空気の吹出方向を複数の乾燥用吹出方向のいずれかに向けた状態における湿度検出センサの検出情報に基づいて、その乾燥用吹出方向についての更新用湿度を求めることになる。
【００３５】
そして、吹出方向設定条件が、乾燥用空気の吹出方向を複数の乾燥用吹出方向の全てに向けた後は、複数の乾燥用吹出方向夫々についての更新用湿度を、複数の乾燥用吹出方向の夫々についての初期湿度に置き換えて、この置き換えられたのちの初期湿度に基づいて乾燥用空気の吹出方向を定める条件に設定されているから、吹出方向設定処理によって、乾燥用空気の吹出方向を複数の乾燥用吹出方向の全てに向けた後は、置き換えられた初期湿度に基づいて、乾燥用空気の吹出方向を複数の乾燥用吹出方向の夫々の方向に向ける順位が定められて、乾燥用空気の吹き出しが継続されることになる。
【００３６】
つまり、乾燥用空気の吹出方向を複数の乾燥用吹出方向の全てに向けた後は、温度検査処理にて求めた初期湿度に代えて、乾燥中湿度検出処理にて求めた更新用湿度に置き換えた初期湿度に基づいて、乾燥用空気の吹出方向を複数の乾燥用吹出方向の夫々の方向に向ける順位を定めて、乾燥用空気の吹き出しが継続されることになる。
【００３７】
このように、乾燥用空気の吹出方向を複数の乾燥用吹出方向の全てに向けた後は、更新用湿度に置き換えた初期湿度に基づいて、乾燥用空気の吹出方向を複数の乾燥用吹出方向の夫々の方向に向ける順位を定めて、乾燥用空気の吹き出しを継続することになるので、乾燥用空気の吹出方向を複数の乾燥用吹出方向の夫々の方向に向ける順位を、複数の乾燥用吹出方向の夫々における乾燥負荷の変化に合わせて適切に設定しながら、乾燥を継続することができるのである。
【００３８】
説明を加えると、温度検査処理にて求めた初期湿度に基づいて、乾燥用空気の吹出方向を複数の乾燥用吹出方向の夫々の方向に向ける順位を定めて、乾燥用空気を吹き出しながら乾燥を行うと、複数の乾燥用吹出方向の夫々における乾燥負荷に対する乾燥が行われることになり、そして、複数の乾燥用吹出方向の夫々における乾燥負荷に対する乾燥の進み具合は、複数の乾燥用吹出方向の夫々について同じではなく、変動することになるが、その変動を加味した乾燥負荷が、更新用湿度として求められることになる。
【００３９】
したがって、乾燥用空気の吹出方向を複数の乾燥用吹出方向の全てに向けた後は、更新用湿度に置き換えた初期湿度に基づいて、乾燥用空気の吹出方向を複数の乾燥用吹出方向の夫々の方向に向ける順位を定めることにより、乾燥用空気の吹出方向を複数の乾燥用吹出方向の夫々の方向に向ける順位を、複数の乾燥用吹出方向の夫々における乾燥負荷の変化に合わせて適切に設定できるため、被乾燥物を良好に乾燥できるのである。
【００４０】
要するに、本発明の第５特徴構成によれば、上記第３又は第４特徴構成による作用効果に加えて、乾燥用空気の吹出方向を複数の乾燥用吹出方向の夫々の方向に向ける順位を乾燥の進み具合に応じて設定することにより、被乾燥物を良好に乾燥することができる浴室乾燥機を提供できる。
【００４１】
本発明の第６特徴構成は、上記第５特徴構成に加えて、
前記吹出方向設定条件における前記終了条件が、前記更新用湿度が次の順位の乾燥用吹出方向についての前記初期湿度よりも低下する条件に設定されている点を特徴とする。
【００４２】
すなわち、乾燥用空気の吹出方向を複数の乾燥用吹出方向のいずれかに向けた状態に維持することを終了する終了条件が、乾燥中湿度検出処理にて求められる更新用湿度が次の順位の乾燥用吹出方向についての初期湿度よりも低下する条件に設定されているから、乾燥用空気の吹出方向を複数の乾燥用吹出方向のいずれかに向けた状態で乾燥を行っているときに、その乾燥用吹出方向についての更新用湿度が、次の順位の乾燥用吹出方向についての初期湿度よりも低下すると、乾燥用空気の吹出方向が次の順位の乾燥用吹出方向に変更されることになる。
【００４３】
このように、乾燥用空気の吹出方向を複数の乾燥用吹出方向のいずれかに向けた状態で乾燥を行っているときに、その乾燥用吹出方向についての更新用湿度が、次の順位の乾燥用吹出方向についての初期湿度よりも低下すると、乾燥用空気の吹出方向が次の順位の乾燥用吹出方向に変更するものであるから、乾燥用空気の吹出方向を複数の乾燥用吹出方向のいずれかに向けた状態で乾燥を行っているときに、その乾燥用吹出方向についての被乾燥物を他の乾燥用吹出方向についての被乾燥物よりも乾燥し過ぎないようにすることができるため、被乾燥物をむらのない状態に的確に乾燥できるものとなる。
【００４４】
要するに、本発明の第６特徴構成によれば、上記第５特徴構成による作用効果に加えて、被乾燥物をむらのない状態に的確に乾燥できる浴室乾燥機を提供できる。
【００４５】
本発明の第７特徴構成は、上記第３又は第４特徴構成に加えて、
前記制御手段が、前記乾燥用空気の吹出方向を前記複数の乾燥用吹出方向の全てに向けた後は、前記検査用吹出方向変更処理、及び、前記湿度検査処理を再度実行するように構成され、
前記吹出方向設定条件が、前記乾燥用空気の吹出方向を前記複数の乾燥用吹出方向の全てに向けた後は、再度実行された前記湿度検査処理によって求められた前記複数の乾燥用吹出方向の夫々についての前記初期湿度に基づいて、前記乾燥用空気の吹出方向を定める条件に設定されている点を特徴とする。
【００４６】
すなわち、制御手段が、乾燥用空気の吹出方向を複数の乾燥用吹出方向の全てに向けた後は、検査用吹出方向変更処理、及び、湿度検査処理を再度実行することになる。
そして、吹出方向設定条件が、乾燥用空気の吹出方向を複数の乾燥用吹出方向の全てに向けた後は、再度実行された湿度検査処理によって求められた複数の乾燥用吹出方向の夫々についての初期湿度に基づいて、乾燥用空気の吹出方向を定める条件に設定されているから、吹出方向設定処理によって、乾燥用空気の吹出方向を複数の乾燥用吹出方向の全てに向けた後は、再度実行された湿度検査処理によって求められた複数の乾燥用吹出方向の夫々についての初期湿度に基づいて、乾燥用空気の吹出方向が定められることになる。
【００４７】
このように、乾燥用空気の吹出方向を複数の乾燥用吹出方向の全てに向けた後は、検査用吹出方向変更処理、及び、湿度検査処理が再度実行され、その再度実行された湿度検査処理によって求められた複数の乾燥用吹出方向の夫々についての初期湿度に基づいて、乾燥用空気の吹出方向が定められるから、乾燥用空気の吹出方向を複数の乾燥用吹出方向の夫々の方向に向ける順位を、複数の乾燥用吹出方向の夫々における乾燥負荷の変化に合わせて適切に設定しながら、乾燥を継続することができるのである。
【００４８】
説明を加えると、温度検査処理にて求めた初期湿度に基づいて、乾燥用空気の吹出方向を複数の乾燥用吹出方向の夫々の方向に向ける順位を定めて、乾燥用空気を吹き出しながら乾燥を行うと、複数の乾燥用吹出方向の夫々における乾燥負荷に対する乾燥が行われることになり、そして、複数の乾燥用吹出方向の夫々における乾燥負荷に対する乾燥の進み具合は、複数の乾燥用吹出方向の夫々について同じではなく、変動することになるが、その変動を加味した乾燥負荷が、再度実行された湿度検査処理によって求められることになる。
【００４９】
したがって乾燥用空気の吹出方向を複数の乾燥用吹出方向の全てに向けた後は、再度実行された湿度検査処理によって求められた初期湿度に基づいて、乾燥用空気の吹出方向を複数の乾燥用吹出方向の夫々の方向に向ける順位を定めるものであるから、乾燥用空気の吹出方向を複数の乾燥用吹出方向の夫々の方向に向ける順位を、複数の乾燥用吹出方向の夫々における乾燥負荷の変化に合わせて適切に設定できるため、被乾燥物を良好に乾燥することができる。
【００５０】
要するに、本発明の第７特徴構成によれば、上記第３又は第４特徴構成による作用効果に加えて、乾燥用空気の吹出方向を複数の乾燥用吹出方向の夫々の方向に向ける順位を乾燥の進み具合に応じて設定することにより、被乾燥物を良好に乾燥することができる浴室乾燥機を提供できる。
【００５１】
本発明の第８特徴構成は、上記第５〜第７特徴構成のいずれかに加えて、
前記制御手段が、周期的な設定判定タイミングごとに、前記換気機能付通風手段を換気機能停止状態で乾燥用空気を吹出す換気機能停止状態で作動させ、且つ、その換気機能停止状態を判定時間継続する間において前記湿度検出センサにて検出される湿度が終了判定用設定値以上上昇するときには未乾燥状態であると判定する乾燥終了判定処理を実行して、前記未乾燥状態でないと判定するまで、前記吹出方向設定処理及び前記乾燥用吹出方向変更処理を継続して実行するように構成されている点を特徴とする。
【００５２】
すなわち、周期的な設定判定タイミングになるごとに、制御手段が、乾燥終了判定処理を実行して、未乾燥状態でないと判定するまで、吹出方向設定処理及び乾燥用吹出方向変更処理を継続して実行することにより、被乾燥物を適切な乾燥状態に乾燥させることになる。
【００５３】
そして、乾燥終了判定処理は、換気機能付通風手段を換気機能停止状態で乾燥用空気を吹出す換気機能停止状態で作動させ、且つ、その換気機能停止状態を判定時間継続する間において湿度検出センサにて検出される湿度が終了判定用設定値以上上昇するときには未乾燥状態であると判定するものであるから、未乾燥状態であるか否かを適切に判断できるものとなる。
【００５４】
つまり、換気機能付通風手段を換気機能停止状態で乾燥用空気を吹出す換気機能停止状態で作動させると、乾燥対象領域の被乾燥物から蒸発する水分が浴室内の空気の湿度を増加させることになるため、乾燥対象領域の乾燥負荷が大きいとき、つまり、乾燥対象領域の被乾燥物の湿度が大きいときには、湿度検出センサにて検出される浴室内の空気の湿度は、次第に大きく増加することになり、乾燥対象領域の乾燥負荷が小さいとき、つまり、乾燥対象領域の被乾燥物の湿度が小さいときには、湿度検出センサにて検出される浴室内の空気の湿度は、増加しない、又は、次第に増加するにしてもその増加量が小さいものとなる。
【００５５】
したがって、換気機能付通風手段を換気機能停止状態で乾燥用空気を吹出す換気機能停止状態で作動させ、且つ、その換気機能停止状態を判定時間継続する間において湿度検出センサにて検出される湿度が終了判定用設定値以上上昇するときには、乾燥対象領域の乾燥負荷が大きいとき、つまり、乾燥対象領域の被乾燥物の湿度が大きい未乾燥状態であると判別できるのである。
ちなみに、終了判定用設定値は、予め実験等により求めて、設定することになる。
【００５６】
要するに、本発明の第８特徴構成によれば、第５〜第７特徴構成のいずれかの作用効果に加えて、乾燥対象領域の被乾燥物が未乾燥状態であるか否かを適切に判断しながら、未乾燥状態でなくなるまで吹出方向設定処理及び乾燥用吹出方向変更処理を継続して実行することにより、被乾燥物を適切な乾燥状態に乾燥できる浴室乾燥機を提供できる。
【図面の簡単な説明】
【００５７】
【図１】浴室乾燥システムの概略図
【図２】浴室乾燥機の縦断正面図
【図３】乾燥用空気の吹出状態を示す概略図
【図４】湿度センサの構成を示す回路図
【図５】第１実施形態の制御作動を示すフローチャート
【図６】第１実施形態の制御作動を示すフローチャート
【図７】第２実施形態の制御作動を示すフローチャート
【図８】第３実施形態の制御作動を示すフローチャート
【図９】第３実施形態の制御作動を示すフローチャート
【図１０】第４実施形態の制御作動を示すフローチャート
【発明を実施するための形態】
【００５８】
以下、図面に基づいて、本発明の実施の形態を説明する。
〔第１実施形態〕
図１に示すように、浴室乾燥機Ａが、浴室Ｙの天井部に備えられ、浴室乾燥機Ａに対して熱媒を循環供給する熱源機Ｎが、浴室Ｙの外部に設けられて、浴室乾燥機Ａから乾燥用空気を吹出しかつ浴室内を換気する浴室乾燥システムが構成されている。
ちなみに、浴室乾燥機Ａは、後述の如く、暖房機能、換気機能、及び、ミスト噴出機能も備えている。
【００５９】
浴室Ｙの内部には、浴室乾燥機Ａの運転を制御する乾燥機用制御手段１に各種の情報を指令する浴室リモコン２が設置され、また、熱源機Ｎの運転を制御する熱源機用制御手段３に各種の情報を指令する熱源機用リモコン４が設けられている。
【００６０】
乾燥機用制御手段１と熱源機用制御手段３とは、各種の情報を通信自在に接続されており、例えば、浴室リモコン２にて乾燥運転指令が乾燥機用制御手段１に指令されると、乾燥機用制御手段１が熱源機用制御手段３に熱媒要求指令を通信し、また、乾燥機用制御手段１が乾燥運転を停止する場合には、乾燥機用制御手段１が熱源機用制御手段３に熱媒不要指令を通信するように構成されている。
熱源機用制御手段３は、熱媒要求指令が指令されると、熱媒往き管５及び熱媒戻り管６を通して、加熱した熱媒を浴室乾燥機Ａに循環供給する熱媒供給運転を実行し、熱媒不要指令が指令されると、熱媒供給運転を停止することになる。
【００６１】
熱源機Ｎは、詳述はしないが、熱媒を循環供給する機能に加えて、一般給湯栓等に対する給湯機能を備えるものであって、熱源機用リモコン４にて運転指令が指令されているときに、給湯要求指令があるときには、給湯運転を行うように構成されている。
ちなみに、図１では、熱源機用リモコン４がひとつ装備される状態を例示するが、通常は、台所や脱衣室等の複数箇所に熱源機用リモコン４が装備されることになる。
【００６２】
図２に示すように、浴室乾燥機Ａは、浴室Ｙの天井Ｙａの裏側に設置される本体ケーシング７と、浴室Ｙの天井Ｙａの表側に設置されるグリル板８とを備えている。
本体ケーシング７の内部には、グリル板８に形成した吸引口Ｋを通して浴室Ｙ内の空気を吸引し、吸引した空気を浴室内に向けて送風路Ｓを通して吹出す循環ファン９、その循環ファン９にて通風される空気を加熱する空気加熱用熱交換器１０、グリル板８に形成した吸引口Ｋを通して浴室４内の空気を吸引して外部に排出する換気ファン１１、給水路１２を通して供給される湯水を浴室内にミスト状に噴出する複数のミストノズル１３、それらミストノズル１３から噴出される湯水を加熱するミスト用熱交換器１４、及び、送風路Ｓから吹き出される空気の吹出方向を変更する可動ルーバ１５等が装備されている。
【００６３】
空気加熱用熱交換器１０は、縦向き姿勢の熱交換部分１０Ａと、横倒れ姿勢の熱交換部分１０Ｂとを備え、熱源機Ｎの熱媒往き管５に接続された熱媒供給管１６を通して熱媒が供給され、そして、熱交換済みの熱媒を熱媒排出管１７を通して熱源機Ｎに接続された熱媒戻り管６に戻すように構成されている。
熱媒供給管１６には、熱媒供給を断続する熱動弁１８が設けられており、この熱動弁１８は、浴室Ｙの暖房運転や乾燥運転を行うときには、開かれることになる。
【００６４】
熱媒供給管１６における熱動弁１８の設置箇所よりも上手側箇所から、ミスト用供給管１６Ａが分岐されている。このミスト用供給管１６Ａは、上述したミスト用熱交換器１４を経由したのち熱媒排出管１７に接続されている。
また、上述した給水路１２が、ミスト用熱交換器１４を経由してミストノズル１３に接続されるように配管されており、ミストノズル１３に供給される湯水がミスト用熱交換器１４にて加熱されるように構成されている。
【００６５】
給水路１２が、ミスト用熱交換器１４を通過したのち、２つの分岐管１２Ａ、12Ｂに分岐され、一方の分岐管１２Ａには一つのミストノズル１３が接続され、他方の分岐管１２Ｂには２つのミストノズル１３が接続されている。
各分岐管１２Ａ、12Ｂには、ミスト用電磁弁１９Ａ、１９Ｂが設けられており、これらミスト用電磁弁１９Ａ、１９Ｂを選択的に開閉させることによって、３つのミストノズル１３からのミスト噴出状態を調整できるように構成されている。
給水路１２には、給水を断続する給水電磁弁２０が設けられており、この給水電磁弁２０は、ミストノズル１３からミストを噴出するミスト運転を行うときには、開かれることになる。
【００６６】
ちなみに、給水路１２におけるミスト用熱交換器１４と２つの分岐管１２Ａ、12Ｂの分岐箇所との間に位置する部分に、排水路２１が接続され、その排水路２１に、排水電磁弁２２が設けられており、例えば、ミスト運転を開始する前に、設定時間の間、排水電磁弁２２を開くことにより、ミスト運転を開始したときに冷たい湯水がミストノズル１３に供給されることを抑制できることになる。図中、２３は、逆止弁である。
【００６７】
また、ミスト用供給管１６Ａには、熱媒供給量を調整する比例弁２４が設けられている。この比例弁２４は、ミストノズル１３からミストを噴出するミスト運転を行うときには、熱媒を通流する状態に開かれるものであり、また、ミストノズル１３に供給される湯水の温度が目標温度になるように開度が変更調整されるように構成されている。
尚、ミスト運転としては、ミスト用熱交換器１４に熱媒を通流させて、加熱された湯水をミストノズル１３から噴出する温水ミスト運転と、ミスト用熱交換器１４に熱媒を通流させることを停止して、非加熱状態の湯水をミストノズル１３から噴出する冷水ミスト運転とがあり、冷水ミスト運転を行うときには、比例弁２４は熱媒を通流させない状態に閉じられることになる。
【００６８】
換気ファン１１は、本体ケーシング７の内部に形成した換気用通路Ｔを通して吸引作用して、グリル板８の吸引口Ｋより浴室内の空気を吸引し、そして、屋外に延出される排気ダクト２５を通して、吸引した空気を外部に排気するように構成されている。
【００６９】
従って、本実施形態の浴室乾燥機Ａは、乾燥運転、暖房運転、換気運転、ミスト運転を行えるように構成されている。
つまり、熱源機Ｎからの熱媒を空気加熱用熱交換器１０に通流させた状態で、循環ファン９及び換気ファン１１を作動させることにより、浴室内の空気を吸引して外部に排出し且つ浴室内の空気を吸引して加熱して乾燥用空気として浴室内に吹き出す乾燥運転が行えることになる。
【００７０】
また、換気ファン１１を停止させかつ熱源機Ｎからの熱媒を空気加熱用熱交換器１０に通流させた状態で、循環ファン９を作動させることにより、浴室内の空気を吸引して加熱して暖房用空気として浴室内に吹き出す暖房運転が行えることになる。
【００７１】
また、循環ファン９を停止しかつ熱源機Ｎからの熱媒の空気加熱用熱交換器１０に対する通流を停止させた状態で、換気ファン１１を作動させることにより、浴室内の空気を吸引して外部に排出する換気運転が行えることになる。
【００７２】
さらに、給水電磁弁２０を開くことにより、給水路１２からの湯水をミストノズル１３から噴出するミスト運転を行えることになり、そして、熱源機Ｎからの熱媒をミスト用熱交換器空気１４に通流させる状態にすれば、給水路１２からの湯水を加熱して噴出する温水ミスト運転状態となり、また、熱源機Ｎからの熱媒のミスト用熱交換器空気１４に対する通流を停止させれば、冷水ミスト運転状態となる。
【００７３】
ちなみに、本実施形態の浴室乾燥機Ａは、上述の如く、熱源機Ｎからの熱媒を空気加熱用熱交換器１０に通流させた状態で、循環ファン９及び換気ファン１１を作動させることにより乾燥運転を行うものであり、本実施形態では、浴室内の空気を吸引して外部に排出し且つ浴室内の空気を吸引して加熱したのち暖房用空気として浴室内に吹き出す換気機能付通風手段Ｊが、循環ファン９、空気加熱用熱交換器１０、及び、換気ファン１１を主要部として構成されることになる。
【００７４】
図１に示すように、上述した可動ルーバ１５は、乾燥運転において、浴室Ｙの内部の乾燥対象領域Ｅに吹き出される乾燥用空気の吹出方向を変更するものであって、図２に示すように、向き変更用の電動モータ２５によって、水平方向に沿う回動軸心Ｚ周りで往復揺動操作されるように構成されている。
つまり、可動ルーバ１５は、回動軸心方向に沿って長尺状の筒状に形成されて、回転軸心方向に沿った広範囲に空気を吹き出すことができるように構成されている。
そして、その可動ルーバ１５の一端側に、電動モータ２５が配設されて、その電動モータ２５が、図３に示すように、乾燥用空気の吹出方向を、複数の乾燥用吹出方向、つまり五つの乾燥用吹出方向Ｌ４〜Ｌ８に変更すべく、可動ルーバ１５を揺動操作するように構成されている。
【００７５】
本実施形態においては、五つの乾燥用吹出方向Ｌ４〜Ｌ８のうち、Ｌ６の方向が、真下を向かうように定められ、Ｌ５の方向が、左下を向かうように定められ、Ｌ４の方向が、Ｌ５の方向よりもさらに左を向くように定められ、Ｌ７の方向が、右下を向かうように定められ、Ｌ８の方向が、Ｌ７よりもさらに右を向くように定められている。
以下の記載において、Ｌ６の方向を真下方向、Ｌ５の方向を左下方向、Ｌ４の方向を左方向、Ｌ７の方向を右下方向、Ｌ８の方向を右方向と呼称する。
【００７６】
したがって、本実施形態においては、可動ルーバ１５及び電動モータ２５にて、吹出方向変更手段Ｆが構成されている。
ちなみに、可動ルーバ１５は、暖房運転を行うときにも、暖房用空気の吹出方向を変更すべく、電動モータ２５にて揺動操作されることになる。
また、例示はしないが、可動ルーバ１５は、送風路Ｓを閉じることになる横向き姿勢（以下、閉じ姿勢と略称）にも操作されるように構成されている。
【００７７】
本実施形態においては、浴室Ｙの内部の乾燥対象領域Ｅは、洗濯物等の被乾燥物が乾燥に適した姿勢で置かれる領域であり、その領域Ｅには、被乾燥物を支持するための一対の棒状体Ｂが、可動ルーバ１５の回動軸心方向に沿う姿勢で浴室Ｙの対向する壁面の間に設けられている。
尚、棒状体Ｂは、浴室Ｙの壁面に設けた受具にて、その両端が支持された状態で架設されるものであって、非使用時には、受具から外して収納できるようになっている。
【００７８】
図２に示すように、本体ケーシング７の内部に、グリル板８の吸引口Ｋを通して吸引される浴室内の空気の湿度を検出する湿度検出センサ２６が設けられている。
この湿度センサ２６は、図４に示すように、ガラスに封入されたＮＴＣサーミスタを用いて構成される湿度測定用素子Ｇ１と、ガラスに封入されたＮＴＣサーミスタを用いて構成される温度補正用素子Ｇ２とを備えたセンサユニットＧを主要部として構成されている。
【００７９】
湿度測定用素子Ｇ１と温度補正用素子Ｇ２とは、同じ温度特性を備えるように構成されることになる。
そして、湿度測定用素子Ｇ１が、浴室Ｙから吸引される空気（測定空気）に接触するように、外周囲を開放する状態で設けられ、温度補正用素子Ｇ２が、乾燥された空気（絶対湿度が零の空気）が封入された金属製のケース内に、密封状態で収納されている。
【００８０】
そして、湿度測定用素子Ｇ１、温度補正用素子Ｇ２、及び、一対の抵抗Ｒ１、Ｒ２にてブリッジ回路が形成され、直列状に接続した湿度測定用素子Ｇ１及び温度補正用素子Ｇ２の両端に、電源Ｈ及び固定抵抗Ｒ３を用いて設定電圧が付与されて、一対の出力端子Ｄの間に、湿度測定用素子Ｇ１に接触する測定空気の絶対湿度に相当する値の出力電圧Ｖｍが出力されるように構成されている。
【００８１】
すなわち、湿度測定用素子Ｇ１及び温度補正用素子Ｇ２は、電流の通電により発熱することになるが、測定空気の絶対湿度が零より大きな場合には、湿度測定用素子Ｇ１の温度が温度補正用素子Ｇ２よりも低くなり、そして、湿度測定用素子Ｇ１及び温度補正用素子Ｇ２は、ＮＴＣサーミスタを用いて構成されるため、湿度測定用素子Ｇ１の抵抗が温度補正用素子Ｇ２の抵抗よりも大きくなる。
したがって、測定空気の絶対湿度の変化に応じて、一対の出力端子Ｄの間に出力される出力電圧Ｖｍが変化することになり、この出力電圧Ｖｍを計測することにより、測定空気の絶対湿度を計測できるのである。
【００８２】
本実施形態においては、上述の如く、乾燥機用制御手段１が、換気機能付通風手段Ｊ及び吹出方向変更手段Ｆの作動を制御する制御手段として機能して、浴室用リモコン２にて乾燥運転指令が指令されると、上述した乾燥運転を実行することになり、そして、その実行中においては、湿度検出センサ２６の検出情報及び吹出方向設定条件に基づいて、乾燥用空気の吹出方向を自動的に変更するように構成されている。
【００８３】
すなわち、乾燥機用制御手段１は、乾燥運転指令が指令されると、先ず、予備乾燥処理を実行することになる。
この予備乾燥処理は、乾燥用空気の吹出方向を、乾燥対象領域Ｅに向かい且つ互いに異なる方向となるように定めた複数の乾燥用吹出方向の夫々に対して予備乾燥用の設定時間ずつ向けるように、吹出方向変更手段Ｆを作動させる処理である。
本実施形態においては、複数の乾燥用吹出方向は、上述した五つの乾燥用吹出方向Ｌ４〜Ｌ８であり、予備乾燥用の設定時間は、例えば５分に設定してある。
また、乾燥用空気の吹出方向を五つの乾燥用吹出方向Ｌ４〜Ｌ８の方向に向ける順序は、真下方向Ｌ６、左下方向Ｌ５、左方向Ｌ４、右下方向Ｌ７、右方向Ｌ８の順序である。
【００８４】
乾燥機用制御手段１は、予備乾燥処理が終了すると、検査用吹出方向変更処理、及び、湿度検査処理を実行する。
検査用吹出方向変更処理は、乾燥用空気の吹出方向を、乾燥対象領域Ｅに向かい且つ互いに異なる方向となるように定めた複数の乾燥用吹出方向の夫々に対して検査用の設定時間ずつ向けるように、吹出方向変更手段Ｆを作動させる処理である。
本実施形態においては、複数の乾燥用吹出方向は、上述した五つの乾燥用吹出方向Ｌ４〜Ｌ８であり、検査用の設定時間は、例えば５分に設定してある。
また、乾燥用空気の吹出方向を五つの乾燥用吹出方向Ｌ４〜Ｌ８の方向に向ける順序は、真下方向Ｌ６、左下方向Ｌ５、左方向Ｌ４、右下方向Ｌ７、右方向Ｌ８の順序である。
【００８５】
湿度検査処理は、乾燥用空気の吹出方向を五つの乾燥用吹出方向Ｌ４〜Ｌ８の夫々に向けた状態における湿度検出センサ２６の検出情報に基づいて、五つの乾燥用吹出方向Ｌ４〜Ｌ８の夫々についての初期湿度を求める処理を実行することになる。
【００８６】
具体的には、乾燥用空気の吹出方向を各乾燥用吹出方向Ｌ４〜Ｌ８の夫々に向けた状態において、湿度検出センサ２６の検出情報を、設定サンプリング間隔（１００ｍＳ）でサンプリングして、そのサンプリング値の移動平均値を求めて、検査用の設定時間内において、最終的に求めた移動平均値を、各乾燥用吹出方向Ｌ４〜Ｌ８の夫々における初期湿度とするように構成されている。
ちなみに、本実施形態においては、移動平均値を求めるあたり、湿度検出センサ２６の検出情報をサンプリングするごとに、過去の６つのサンプリング値のうちで、最大と最小のサンプリング値を除いた４つのサンプリング値の平均を求めるようにしてある。
【００８７】
尚、初期湿度を求める形態は、移動平均値を求める構成に代えて、検査用の設定時間内において、設定サンプリング間隔でサンプリングしたサンプリング値の単純平均値を、初期湿度として求めるようにしてもよい。
そして、この形態の場合においては、検査用の設定時間のうちの後半側部分（例えば、後半の２分）のサンプリン値の平均を求めるようにして、検査用の設定時間のうちの前半側部分（例えば、前半の３分）のサンプリン値は、平均値を求めるデータに用いないようにすることが考えられる。
【００８８】
ちなみに、乾燥機用制御手段１は、五つの乾燥用吹出方向Ｌ４〜Ｌ８の夫々についての初期湿度を求めたときに、五つの乾燥用吹出方向Ｌ４〜Ｌ８の夫々についての初期湿度に差が検出されない場合は、湿度検査処理を繰り返すように構成されている。
【００８９】
乾燥機用制御手段１は、検査用吹出方向変更処理及び湿度検査処理を終了すると、その後、吹出方向設定処理、及び、乾燥用吹出方向変更処理を実行することになる。
吹出方向設定処理は、五つの乾燥用吹出方向Ｌ４〜Ｌ８の夫々についての初期湿度及び吹出方向設定条件に基づいて、乾燥用空気の吹出方向を五つの乾燥用吹出方向Ｌ４〜Ｌ８のうちのいずれかに設定する処理であり、そして、乾燥用吹出方向変更処理は、吹出方向設定処理の設定結果に基づいて、乾燥用空気の吹出方向を複数の乾燥用吹出方向Ｌ４〜Ｌ８のうちの設定された乾燥用吹出方向に向けるように、吹出方向変更手段Ｆを作動させる処理である。
【００９０】
本実施形態においては、上述の吹出方向設定条件が、乾燥用空気の吹出方向を、五つの乾燥用吹出方向Ｌ４〜Ｌ８の夫々の方向に順次向けかつ五つの乾燥用吹出方向Ｌ４〜Ｌ８のいずかに向けた状態を終了条件が満たされるまで維持するように定め、且つ、五つの乾燥用吹出方向Ｌ４〜Ｌ８の夫々についての初期湿度に基づいて、五つの乾燥用吹出方向の夫々の方向に向ける順位を定める条件に設定されている。
【００９１】
具体的には、吹出方向設定条件が、乾燥用空気の吹出方向を五つの乾燥用吹出方向Ｌ４〜Ｌ８の夫々の方向に向ける順位を、五つの乾燥用吹出方向Ｌ４〜Ｌ８のうちで、初期湿度が高い乾燥用吹出方向ほど先の順位に定める条件に設定されている。
ちなみに、五つの乾燥用吹出方向Ｌ４〜Ｌ８の夫々についての初期湿度に、同じ値のものが存在するときには、予め定めた優先順位、つまり、真下方向Ｌ６、左下方向Ｌ５、左方向Ｌ４、右下方向Ｌ７、右方向Ｌ８の順位にて、乾燥用空気の吹出方向が定められるようになっている。
【００９２】
尚、本実施形態においては、五つの乾燥用吹出方向Ｌ４〜Ｌ８についての初期湿度のうちで、設定湿度よりも低いものが存在したときには、その乾燥用吹出方向は、被乾燥物の乾燥に有効な方向ではないため、その乾燥用吹出方向は、乾燥用空気の吹出方向として選択する方向からは除外するように構成されている。
つまり、吹出方向設定条件が、五つの乾燥用吹出方向Ｌ４〜Ｌ８についての初期湿度のうちで、設定湿度よりも低くなる乾燥用吹出方向を、乾燥用空気の吹出方向として選択する方向からは除外する条件に設定されている。
【００９３】
また、乾燥機用制御手段１が、乾燥用吹出変更処理の実行中において、乾燥用空気の吹出方向を五つの乾燥用吹出方向Ｌ４〜Ｌ８のいずれかに向けた状態における湿度検出センサの検出情報に基づいて、その乾燥用吹出方向についての更新用湿度を求める乾燥中湿度検出処理を実行するように構成されている。
ちなみに、この乾燥中湿度検出処理において更新用湿度を求める形態は、上述した湿度検査処理において初期湿度を求める形態と同様の形態にて行われることになる。
【００９４】
そして、吹出方向設定条件が、乾燥用空気の吹出方向を五つの乾燥用吹出方向Ｌ４〜Ｌ８の全てに向けた後は、五つの乾燥用吹出方向Ｌ４〜Ｌ８夫々についての更新用湿度を、五つの乾燥用吹出方向Ｌ４〜Ｌ８の夫々についての初期湿度に置き換えて、この置き換えられた初期湿度に基づいて乾燥用空気の吹出方向を定める条件に設定されている。
つまり、乾燥用空気の吹出方向を五つの乾燥用吹出方向Ｌ４〜Ｌ８の全てに向けることが終了するごとに、更新用湿度を初期湿度に置き換えて、この置き換えられたのちの初期湿度に基づいて、吹出方向設定処理が実行され、その吹出方向設定処理の設定結果に基づいて、乾燥用吹出方向変更処理が実行されることになる。
【００９５】
また、吹出方向設定条件における上述の終了条件が、更新用湿度が次の順位の乾燥用吹出方向についての初期湿度よりも低下する条件に設定されている。
つまり、乾燥用空気の吹出方向を、五つの乾燥用吹出方向Ｌ４〜Ｌ８の夫々の方向に順次向けかつ五つの乾燥用吹出方向Ｌ４〜Ｌ８のいずかに向けた状態を終了条件が満たされるまで維持するにあたり、その終了条件が、更新用湿度が次の順位の乾燥用吹出方向についての初期湿度よりも低下する条件に定められている。
したがって、更新用湿度が次の順位の乾燥用吹出方向についての初期湿度よりも低下すると、乾燥用空気の吹出方向が、複数の乾燥用吹出方向Ｌ４〜Ｌ８のうちの次の順位の方向に変更されることになる。
ちなみに、本実施形態においては、更新用湿度が次の順位の乾燥用吹出方向についての初期湿度よりも低下する状態を設定時間（例えば、３０秒）継続すると、更新用湿度が次の順位の乾燥用吹出方向についての初期湿度よりも低下したと判別するように構成されている。
【００９６】
ところで、乾燥用空気の吹出方向を、五つの乾燥用吹出方向Ｌ４〜Ｌ８のうちの順位が最も低い乾燥用吹出方向に向けた状態においては、次の順位の乾燥用吹出方向が存在しないため、本実施形態においては、五つの乾燥用吹出方向Ｌ４〜Ｌ８のうちの順位が最も低い乾燥用吹出方向に乾燥用空気の吹出方向を向けた状態において検出される更新用湿度と、五つの乾燥用吹出方向Ｌ４〜Ｌ８のうちの、既に乾燥用空気の吹出方向となって、更新用湿度が既に求められている４つの乾燥用吹出方向についての更新湿度のうちで最も高い更新用湿度とを、比較するように構成されている。
つまり、五つの乾燥用吹出方向Ｌ４〜Ｌ８のうちの順位が最も低い乾燥用吹出方向に乾燥用空気の吹出方向を向けた状態において検出される更新用湿度が、更新用湿度が既に求められている４つの乾燥用吹出方向についての更新湿度のうちで最も高い更新用湿度を低下する状態を設定時間（例えば、３０秒）継続すると、更新用湿度が次の順位の乾燥用吹出方向についての初期湿度よりも低下した状態であると判断するように構成されている。
【００９７】
ちなみに、乾燥用空気の吹出方向を、五つの乾燥用吹出方向Ｌ４〜Ｌ８のうちの順位が最も低い乾燥用吹出方向に向けた状態において、その状態を終了する条件としては、その状態を設定時間（例えば、２分）継続すると終了する条件とすることや、五つの乾燥用吹出方向Ｌ４〜Ｌ８のうちの順位が低い方向から２番目の乾燥用吹出方向にて、乾燥用空気を吹出した時間を計測しておき、その時間と同じ時間が経過すると終了する条件とすることが考えられる。
【００９８】
尚、本実施形態を実施するにあたり、乾燥用空気の吹出方向を、五つの乾燥用吹出方向Ｌ４〜Ｌ８のうちの順位が最も低い乾燥用吹出方向に向けることを省略する形態で実施することもできる。
つまり、乾燥用空気の吹出方向を、五つの乾燥用吹出方向Ｌ４〜Ｌ８のうちの順位が高い４つの乾燥用吹出方向に向けることにより、順位が最も低い乾燥用吹出方向での乾燥も進んでいると考えられるため、乾燥用空気の吹出方向を、五つの乾燥用吹出方向Ｌ４〜Ｌ８のうちの順位が最も低い乾燥用吹出方向に向けることを省略する形態にて、本実施形態を実施してもよい。
【００９９】
また、乾燥機用制御手段１が、周期的な設定判定タイミングごとに、換気機能付通風手段を換気機能停止状態で乾燥用空気を吹出す換気機能停止状態で作動させ、且つ、その換気機能停止状態を判定時間継続する間において湿度検出センサ２６にて検出される湿度が終了判定用設定値以上上昇するときには未乾燥状態であると判定する乾燥終了判定処理を実行して、前記未乾燥状態でないと判定するまで、前記吹出方向設定処理及び前記乾燥用吹出方向変更処理を継続して実行するように構成されている。
そして、この乾燥終了判定処理を実行するときには、乾燥用空気の吹出方向を複数の乾燥用吹出方向Ｌ４〜Ｌ８の間で連続的に変更するように、可動ルーバ１５を連続的に揺動操作する可動ルーバ１５のスイング作動を行うように構成されている。
【０１００】
すなわち、吹出方向設定処理及び乾燥用吹出方向変更処理の実行中において、周期的な設定判定タイミング（例えば、２０分）ごとに、換気ファン１１が停止されて、換気機能付通風手段Ｊが換気機能停止状態で乾燥用空気を吹出す換気機能停止状態で作動され、かつ、可動ルーバ１５がスイング作動を行うことになり、その換気機能停止状態を判定時間（例えば、７分）継続する間において、湿度検出センサ２６にて検出される湿度が終了判定用設定値以上上昇するとときには未乾燥状態であると判定されることになる。
【０１０１】
そして、未乾燥状態でないと判定されるまで、吹出方向設定処理及び乾燥用吹出方向変更処理が継続して実行されることになり、乾燥終了判定処理によって未乾燥でないと判定したときには、換気機能付通風手段Ｊが停止されることになる。
ちなみに、この乾燥終了判定処理において湿度を求める形態は、上述した湿度検査処理において初期湿度を求める形態と同様の形態にて行われることになる。
【０１０２】
以上の通り、乾燥機用制御手段１は、乾燥運転指令が指令されると、予備乾燥処理、検査用吹出方向変更処理、湿度検査処理、吹出方向設定処理、乾燥用吹出方向変更処理、
乾燥中湿度検出処理、及び、乾燥終了判定処理等の処理を順次実行して、乾燥運転を行うことになる。
【０１０３】
そして、乾燥運転においては、乾燥用空気の吹出方向が、複数（五つ）の乾燥用吹出方向Ｌ４〜Ｌ８のうちの初期湿度の高いものから低いものに向けて順次変更されることにより、乾燥対象領域Ｅに干されている被乾燥物を効率良く、しかも、むらなく乾燥させることができる。
【０１０４】
また、浴室Ｙの湿度が、換気機能を停止させても上昇しない状態となるまで、乾燥運転を継続させることにより、乾燥対象領域Ｅに干されている被乾燥物を確実に乾燥させることができる。
【０１０５】
次に、乾燥機用制御手段１が乾燥運転を行うために実行する乾燥運転処理について、フローチャートに基づいて説明する。
ちなみに、乾燥機用制御手段１は、乾燥運転処理の他、浴室用リモコン２との間での通信処理や熱源機用制御手段３との間で通信処理等の他の処理を順次実行するものであるが、以下においては、乾燥機用制御手段１が乾燥運転処理のみを行うと仮定した場合のフローチャートを例示して説明する。
【０１０６】
図５に示すように、先ず、乾燥運転指令が指令されたか否かを判別し（＃１）、乾燥運転指令が指令されている場合には、乾燥運転開始処理を実行する（＃２）。
この乾燥運転開始処理は、乾燥用空気の吹出方向が真下方向Ｌ６となるように可動ルーバ１５を閉じ姿勢から揺動させ、循環ファン９及び換気ファン１１を作動させ、熱源機用制御手段３に熱媒要求指令を通信し、熱動弁１８を開き作動させる処理である。
【０１０７】
乾燥運転開始処理を実行したのちは、予備乾燥処理を実行し（＃３）、その後、検査用吹出方向変更処理、及び、湿度検査処理を実行する（＃４）。
予備乾燥処理、検査用吹出方向変更処理、及び、湿度検査処理は、上述の通りであるので、ここでの説明は省略する。
【０１０８】
次に、吹出方向設定処理（＃５）、及び、この吹出方向設定処理の設定結果に基づいて乾燥用空気の吹出方向を変更する乾燥用吹出方向変更処理（＃６）を実行し、この乾燥用吹出方向変更処理の実行中には、乾燥中湿度検出処理を実行することになる。
吹出方向設定処理については、後述するが、乾燥用吹出方向変更処理及び乾燥中湿度検出処理は、上述の通りであるので、ここでの説明は省略する。
【０１０９】
次に、乾燥運転を実行した運転時間が６時間以内であるか否かを判断し（＃７）、６時間以内でない場合には、停止処理を実行する（＃１３）。
この停止処理は、可動ルーバ１５を閉じ姿勢に揺動させ、循環ファン９及び換気ファン１１を停止させ、熱源機用制御手段３に熱媒不要指令を通信し、熱動弁１８を閉じ作動させる処理である。
【０１１０】
＃７にて、運転時間が６時間以内であると判断したときには、次に、周期的な設定判定タイミング（例えば、２０分）であるか否かを判断し（＃８）、設定判定タイミングでないときには、＃５の吹出方向設定処理に移行する。
＃８にて、設定判定タイミングであると判断したときには、換気ファン１１を停止して、湿度センサ２６の検出情報に基づいて、湿度上昇値Ｄを計測する処理（＃９）、及び、乾燥用空気の吹出方向を複数（五つ）の乾燥用吹出方向Ｌ４〜Ｌ８の間で連続的に変更するように、可動ルーバ１５を連続的に揺動操作する可動ルーバのスイング作動（＃１０）を、判定時間（例えば、７分）が経過するまで行う（＃１１）。
【０１１１】
＃１１にて、判定時間（例えば、７分）が経過したことを判別したときは、湿度上昇値Ｄが、設定値以下か否かを判断し（＃１２）、湿度上昇値Ｄが設定値以下でない場合には、＃５の吹出方向設定処理に移行する。
湿度上昇値Ｄと比較する設定値は、被乾燥物が乾いているか否かを判断するための値であり、予め実験等により求めて、設定されることになる。
【０１１２】
＃１２にて、湿度上昇値Ｄが設定値以下であると判断した場合には、＃１３の停止処理を実行することになる。
【０１１３】
次に、吹出方向設定処理について、図６のフローチャートに基づいて説明する。
先ず、順位設定タイミングであるか否かを判断することになる（＃２１）。
すなわち、上述した検査用吹出方向変更処理及び湿度検査処理を終了した直後である場合や、複数（五つ）の乾燥用吹出方向Ｌ４〜Ｌ８の全ての方向に向けて乾燥用空気を吹出すことを終了した直後である場合には、順位設定タイミングであると判断することになる。
【０１１４】
＃２１にて、順位設定タイミングであると判別したときには、検査用吹出方向変更処理及び湿度検査処理を終了した直後である初回処理であるか否かを判断し（＃２２）、初回処理でない場合には、乾燥中湿度検査処理にて検出した更新用湿度を初期湿度に置き換える処理を実行する（＃２３）
【０１１５】
次に、初期湿度に基づいて、乾燥用空気の吹出方向を、複数の乾燥用吹出方向の夫々の方向に向ける順位を設定する順位設定処理を実行する（＃２４）。
つまり、本実施形態においては、乾燥用空気の吹出方向を複数の乾燥用吹出方向の夫々の方向に向ける順位が、複数の乾燥用吹出方向のうちで、初期湿度が高い乾燥用吹出方向ほど先の順位に定められることになる。
その後、順位設定処理の結果に基づいて、１番目の乾燥用吹出方向が設定されることになる（＃２５）。
ちなみに、その設定結果に基づいて、上述の乾燥用吹出方向変更処理にて、乾燥用空気の吹出方向が変更されることになる。
【０１１６】
＃２１にて、順位設定タイミングでないと判断したときには、乾燥用空気の吹出方向を複数の吹出方向のいずれかに向けた状態において、その状態を終了する終了条件が満たされているか否かを判断する（＃２６）。
つまり、本実施形態においては、更新用湿度が次の順位の乾燥用吹出方向についての初期湿度よりも低下する状態を設定時間（例えば、３０秒）継続すると、更新用湿度が次の順位の乾燥用吹出方向についての初期湿度よりも低下したと判別して、終了条件を満たす状態であると判断する。
【０１１７】
＃２６にて、終了条件が満たされたと判断したときには、乾燥用空気の吹出方向を、次順位の乾燥用吹出方向に設定することになる（＃２７）。
ちなみに、現在の乾燥用吹出方向が最後の順位の乾燥用吹出方向である場合には、＃２７にては、乾燥用吹出方向が設定されることはない。
【０１１８】
尚、この第１実施形態においては、予備乾燥処理を実行したのちに、検査用吹出方向変更処理及び湿度検査処理を実行する場合を例示したが、予備乾燥処理を省略する形態で実施してもよい。
また、この第１実施形態においては、複数の乾燥用吹出方向として、五つの乾燥用吹出方向Ｌ４〜Ｌ８を設定する場合を例示したが、五つよりも多い乾燥用吹出方向を設定する形態や、五つよりも少ない乾燥用吹出方向を設定する形態で実施してもよい。
【０１１９】
〔第２実施形態〕
次に、第２実施形態を説明するが、この第２実施形態は、上記第１実施形態で述べた吹出方向設定処理の別の形態を示すものであり、浴室乾燥機Ａの構成、及び、乾燥機用制御手段１が実行する制御作動のうちの、吹出方向設定処理を除いた制御作動は、上記第１実施形態と同様であるので、以下、吹出方向設定処理についてのみ説明する。
【０１２０】
すなわち、この第２実施形態においては、吹出方向設定条件が、乾燥用空気の吹出方向を、複数（五つ）の乾燥用吹出方向Ｌ４〜Ｌ８の夫々の方向に順次向けかつ複数（五つ）の乾燥用吹出方向Ｌ４〜Ｌ８のいずかに向けた状態を終了条件が満たされるまで維持するように定め、且つ、複数（五つ）の乾燥用吹出方向Ｌ４〜Ｌ８の夫々の方向に向ける順位を、予め定めた順位に定める条件に設定されている。
【０１２１】
乾燥用空気の吹出方向を複数（五つ）の乾燥用吹出方向Ｌ４〜Ｌ８の夫々の方向に向ける順位として、予め定められる順位は、上記した予備乾燥処理や検査用吹出方向変更処理と同様に、真下方向Ｌ６、左下方向Ｌ５、左方向Ｌ４、右下方向Ｌ７、右方向Ｌ８の順位である。
【０１２２】
また、この第２実施形態においては、吹出方向設定条件における終了条件が、その乾燥用吹出方向Ｌ４〜Ｌ８の夫々を維持する乾燥時間ｔｎとして定められる条件に設定されている。
具体的には、終了条件が、複数の乾燥用吹出方向Ｌ４〜Ｌ８の夫々についての乾燥時間を、複数の乾燥用吹出方向Ｌ４〜Ｌ８の夫々についての初期湿度が高くなるほど長く設定する条件に設定されている。
【０１２３】
本実施形態では、複数の乾燥用吹出方向Ｌ４〜Ｌ８の夫々についての乾燥時間をｔｎとし、複数の乾燥用吹出方向Ｌ４〜Ｌ８の夫々についての初期湿度をｄｎとし、設定基準時間をＴとして、乾燥時間ｔｎを下記式にて求めるように構成されている。
ｔｎ＝Ｔ・ｄｎ／（ｄ４+ｄ５+ｄ６＋d７＋ｄ８）
つまり、設定基準時間Ｔを複数の乾燥用吹出方向Ｌ４〜Ｌ８の夫々についての初期湿度ｄｎの大きさに比例按分した時間が、複数の乾燥用吹出方向Ｌ４〜Ｌ８の夫々についての乾燥時間ｔｎに定められるように構成されている。
【０１２４】
次に、乾燥機用制御手段１が実行する吹出方向設定処理について、図７のフローチャートに基づいて説明する。
この第２実施形態における吹出方向設定処理は、第１実施形態おける＃２４の順位設定処理に代えて、＃２４−Ａの乾燥時間を演算する処理が行われることになる。
そして、この＃２４−Ａの乾燥時間を演算する処理は、上記の式を用いて、乾燥時間ｔｎを演算する処理を行うことになる。
【０１２５】
説明を加えると、先ず、順位設定タイミングであるか否かを判断する（＃２１）。
すなわち、上述した検査用吹出方向変更処理及び湿度検査処理を終了した直後である場合や、複数の乾燥用吹出方向Ｌ４〜Ｌ８の全ての方向に向けて乾燥用空気を吹出すことを終了した直後である場合には、順位設定タイミングであると判断することになる。
【０１２６】
＃２１にて、順位設定タイミングであると判別したときには、上述した検査用吹出方向変更処理及び湿度検査処理を終了した直後である初回処理であるか否かを判断し（＃２２）、初回処理でない場合には、上述した乾燥中湿度検査処理にて検出した更新用湿度を初期湿度に置き換える処理を実行する（＃２３）
【０１２７】
次に、初期湿度に基づいて、複数の乾燥用吹出方向Ｌ４〜Ｌ８の夫々についての乾燥時間ｔｎを求める処理を実行する（＃２４−Ａ）。
その後、乾燥用空気の吹出方向を複数の乾燥用吹出方向Ｌ４〜Ｌ８の夫々の方向に向ける順位として、予め定められる順位に基づいて、１番目の乾燥用吹出方向が設定されることになる（＃２５）。
ちなみに、その設定結果に基づいて、上述の乾燥用吹出方向変更処理にて、乾燥用空気の吹出方向が変更されることになる。
【０１２８】
＃２１にて、順位設定タイミングでないと判断したときには、乾燥用空気の吹出方向を複数の吹出方向のいずれかに向けた状態において、その状態を終了する終了条件が満たされているか否かを判断する（＃２６）。
つまり、本実施形態においては、複数の乾燥用吹出方向Ｌ４〜Ｌ８の夫々について求めた乾燥時間ｔｎに達したか否かを判別し、乾燥時間ｔｎに達すると、終了条件を満たす状態であると判断する。
【０１２９】
＃２６にて、終了条件が満たされた判断したときには、乾燥用空気の吹出方向を、次順位の乾燥用吹出方向に設定することになる（＃２７）。
ちなみに、現在の乾燥用吹出方向が最後の順位の乾燥用吹出方向である場合には、＃２７にては、乾燥用吹出方向が設定されることはない。
【０１３０】
尚、この第２実施形態においては、設定基準時間Ｔを複数の乾燥用吹出方向Ｌ４〜Ｌ８の夫々についての初期湿度ｄｎの大きさに比例按分した時間を、複数の乾燥用吹出方向Ｌ４〜Ｌ８の夫々についての乾燥時間ｔｎとして定める場合を例示したが、複数の乾燥用吹出方向Ｌ４〜Ｌ８の夫々についての初期湿度ｄｎの大きさに基づいて、複数の乾燥用吹出方向Ｌ４〜Ｌ８の夫々についての乾燥時間ｔｎを定める形態は、種々変更できるものである。
例えば、乾燥時間ｔｎとして、長さが異なる複数の乾燥時間を予め定めておき、初期湿度ｄｎが大きい乾燥用吹出方向Ｌ４〜Ｌ８ほど長い乾燥時間を選択する形態で、複数の乾燥用吹出方向Ｌ４〜Ｌ８の夫々についての乾燥時間ｔｎを定めるようにしてもよい。
【０１３１】
〔第３実施形態〕
次に、第３実施形態を説明するが、この第３実施形態は、乾燥機用制御手段１が実行する制御作動の内容が、上記第１実施形態で述べた制御作動の内容とは異なるものの、浴室乾燥機Ａの構成は、上記第１実施形態と同様であるので、以下、乾燥機用制御手段１が実行する制御作動の内容についてのみ説明する。
ちなみに、乾燥機用制御手段１が実行する制御作動（制御処理）のうちで、第１実施形態で述べた制御作動（制御処理）と同じ内容の処理については、その具体的な説明は省略する。
【０１３２】
すなわち、乾燥機用制御手段１は、乾燥運転指令が指令されると、上記第１実施形態と同様に、先ず、予備乾燥処理を行い、次に、検査用吹出方向変更処理、及び、湿度検査処理を実行することになる。
【０１３３】
乾燥機用制御手段１は、検査用吹出方向変更処理及び湿度検査処理を終了すると、上述の第１実施形態と同様に、吹出方向設定処理、及び、乾燥用吹出方向変更処理を実行することになり、また、乾燥用吹出方向変更処理の実行中においては、乾燥中湿度検出処理を実行することになる。
【０１３４】
この第３実施形態においては、第１実施形態と同様に、吹出方向設定条件が、乾燥用空気の吹出方向を、複数の乾燥用吹出方向Ｌ４〜Ｌ８の夫々の方向に順次向けかつ複数の乾燥用吹出方向Ｌ４〜Ｌ８のいずかに向けた状態を終了条件が満たされるまで維持するように定め、且つ、複数の乾燥用吹出方向Ｌ４〜Ｌ８の夫々についての初期湿度に基づいて、複数の乾燥用吹出方向の夫々の方向に向ける順位を定める条件に設定されている。
【０１３５】
具体的には、吹出方向設定条件が、乾燥用空気の吹出方向を複数の乾燥用吹出方向Ｌ４〜Ｌ８の夫々の方向に向ける順位を、複数の乾燥用吹出方向Ｌ４〜Ｌ８のうちで、初期湿度が高い乾燥用吹出方向ほど先の順位に定める条件に設定されている。
【０１３６】
ちなみに、この第３実施形態においては、第１実施形態と同様に、複数の乾燥用吹出方向Ｌ４〜Ｌ８について初期湿度のうちで、設定湿度よりも低いものが存在したときには、その乾燥用吹出方向は、被乾燥物の乾燥に有効な方向でないため、その乾燥用吹出方向は、乾燥用空気の吹出方向として選択する方向からは除外するように構成されている。
つまり、吹出方向設定条件が、複数の乾燥用吹出方向Ｌ４〜Ｌ８についての初期湿度のうちで、設定湿度よりも低くなる乾燥用吹出方向を、乾燥用空気の吹出方向として選択する方向からは除外する条件に設定されている。
【０１３７】
また、吹出方向設定条件における上述の終了条件が、上記第１実施形態と同様に、更新用湿度が次の順位の乾燥用吹出方向についての初期湿度よりも低下する条件に設定されている。
つまり、この第３実施形態においても、第１実施形態と同様に、乾燥用吹出方向変更処理の実行中において、更新用湿度を計測する乾燥中湿度計測処理を行うように構成されている。
そして、乾燥用空気の吹出方向を、複数の乾燥用吹出方向Ｌ４〜Ｌ８の夫々の方向に順次向けかつ複数の乾燥用吹出方向Ｌ４〜Ｌ８のいずかに向けた状態を終了条件が満たされるまで維持するにあたり、その終了条件が、更新用湿度が次の順位の乾燥用吹出方向についての初期湿度よりも低下する条件に定められて、更新用湿度が次の順位の乾燥用吹出方向についての初期湿度よりも低下すると、乾燥用空気の吹出方向が、複数の乾燥用吹出方向Ｌ４〜Ｌ８のうちの次の順位の方向に変更されることになる。
【０１３８】
この第３実施形態においては、第１実施形態とは異なり、乾燥機用制御手段１が、乾燥用空気の吹出方向を複数の乾燥用吹出方向Ｌ４〜Ｌ８の全てに向けた後は、検査用吹出方向変更処理、及び、湿度検査処理を再度実行するように構成されている。
そして、吹出方向設定条件が、乾燥用空気の吹出方向を複数の乾燥用吹出方向Ｌ４〜Ｌ８の全てに向けた後は、再度実行された湿度検査処理によって求められた複数の乾燥用吹出方向Ｌ４〜Ｌ８の夫々についての初期湿度に基づいて、乾燥用空気の吹出方向を定める条件に設定されている。
【０１３９】
また、乾燥機用制御手段１が、上記実施形態と同様に、乾燥終了判定処理を実行することになり、そして、乾燥終了判定処理によって未乾燥状態でないと判定するまで、検査用吹出方向変更処理及び湿度検査処理、並びに、吹出方向設定処理及び記乾燥用吹出方向変更処理を継続して実行するように構成されている。
【０１４０】
次に、乾燥機用制御手段１が実行する乾燥運転を行うための乾燥運転処理について、フローチャートに基づいて説明する。
ちなみに、乾燥機用制御手段１は、乾燥運転処理の他、浴室用リモコン２との間での通信処理や熱源機用制御手段３との間で通信処理等の他の処理を順次実行するものであるが、以下においては、乾燥機用制御手段１が乾燥運転処理のみを行うと仮定した場合のフローチャートを例示して説明する。
【０１４１】
図８に示すように、先ず、乾燥運転指令が指令されたか否かを判別し（＃３１）、乾燥運転指令が指令されている場合には、乾燥運転開始処理を実行する（＃３２）。
乾燥運転開始処理を実行したのちは、予備乾燥処理を実行し（＃３３）、その後、検査用吹出方向変更処理、及び、湿度検査処理を実行する（＃３４）。
【０１４２】
次に、吹出方向設定処理（＃３５）、及び、この吹出方向設定処理の設定結果に基づいて乾燥用空気の吹出方向を変更する乾燥用吹出方向変更処理（＃３６）を実行する。
次に、乾燥運転を実行した運転時間が６時間以内であるか否かを判断し（＃３７）、６時間以内でない場合には、停止処理を実行する（＃４３）。
【０１４３】
＃３７にて、運転時間が６時間以内であると判断したときには、次に、周期的な設定判定タイミング（例えば、２０分）であるか否かを判断し（＃３８）、設定判定タイミングでないときには、当該検査用吹出方向変更処理と湿度検査処理に基づく吹出変更処理に対応する乾燥用吹出方向変更処理により、乾燥用空気の吹出方向を複数の乾燥用吹出方向Ｌ４〜Ｌ８の全てに向けることが終了した否か、つまり、全ての吹出方向が終了したか否かを判断することになる（＃４４）。
【０１４４】
＃４４にて、全ての吹出方向が終了したと判断したきには、＃３４の検査用吹出方向変更処理に移行し、また、全ての吹出方向が終了していないと判断したきには、＃３５の吹出方向設定処理に移行する。
【０１４５】
＃３８にて、設定判定タイミングであると判断したときには、換気ファン１１を停止して、湿度センサ２６の検出情報に基づいて、湿度上昇値Ｄを計測する処理（＃３９）、及び、乾燥用空気の吹出方向を複数の乾燥用吹出方向Ｌ４〜Ｌ８の間で連続的に変更するように、可動ルーバ１５を連続的に揺動操作する可動ルーバのスイング作動（＃４０）を、判定時間（例えば、７分）が経過するまで行う（＃４１）。
【０１４６】
＃４１にて、判定時間（例えば、７分）が経過したことを判別したときは、湿度上昇値Ｄが、設定値以下か否かを判断し（＃４２）、湿度上昇値Ｄが設定値以下でない場合には、＃４４の全ての吹出方向が終了したか否かを判断する処理に移行する。
＃４２にて、湿度上昇値Ｄが設定値以下であると判断した場合には、＃４３の停止処理を実行することになる。
【０１４７】
次に、吹出方向設定処理について、図９のフローチャートに基づいて説明する。
先ず、順位設定タイミングであるか否かを判断することになる（＃５１）。
すなわち、上述した検査用吹出方向変更処理及び湿度検査処理を終了した直後であるか否かを判断することになる。
【０１４８】
＃５１にて、順位設定タイミングであると判別したときには、初期湿度に基づいて、乾燥用空気の吹出方向を、複数の乾燥用吹出方向の夫々の方向に向ける順位を設定する順位設定処理を実行する（＃５２）。
その後、順位設定処理の結果に基づいて、１番目の乾燥用吹出方向が設定されることになる（＃５３）。
ちなみに、その設定結果に基づいて、上述の乾燥用吹出方向変更処理にて、乾燥用空気の吹出方向が変更されることになる。
【０１４９】
＃５１にて、順位設定タイミングでないと判断したときには、乾燥用空気の吹出方向を複数の吹出方向のいずれかに向けた状態において、その状態を終了する終了条件が満たされているか否かを判断する（＃５４）。
つまり、この第３実施形態においては、更新用湿度が次の順位の乾燥用吹出方向についての初期湿度よりも低下する状態を設定時間（例えば、３０秒）継続すると、更新用湿度が次の順位の乾燥用吹出方向についての初期湿度よりも低下したと判別して、終了条件を満たす状態であると判断する。
【０１５０】
＃５４にて、終了条件が満たされたと判断したときには、乾燥用空気の吹出方向を、次順位の乾燥用吹出方向に設定することになる（＃５５）。
ちなみに、現在の乾燥用吹出方向が最後の順位の乾燥用吹出方向である場合には、＃５５にては、乾燥用吹出方向が設定されることはない。
【０１５１】
尚、この第３実施形態においては、吹出方向設定条件が、乾燥用空気の吹出方向を、複数の乾燥用吹出方向Ｌ４〜Ｌ８の夫々の方向に順次向けかつ複数の乾燥用吹出方向Ｌ４〜Ｌ８のいずかに向けた状態を終了条件が満たされるまで維持するように定め、且つ、複数の乾燥用吹出方向Ｌ４〜Ｌ８の夫々についての初期湿度に基づいて、複数の乾燥用吹出方向の夫々の方向に向ける順位を定める条件に設定され、そして、吹出方向設定条件における上述の終了条件が、更新用湿度が次の順位の乾燥用吹出方向についての初期湿度よりも低下する条件に設定される場合を例示したが、吹出方向設定条件を、上記第２実施形態と同様な条件に定めて実施してもよい。
【０１５２】
つまり、乾燥用空気の吹出方向を複数の乾燥用吹出方向Ｌ４〜Ｌ８の夫々の方向に向ける順位として、予め定められる順位に基づいて設定し、そして、乾燥用空気の吹出方向を複数の乾燥用吹出方向Ｌ４〜Ｌ８の全てに変更したのちは、検査用吹出方向変更処理及び湿度検査処理に移行する形態で実施してもよい。
ちなみに、このような形態で実施する場合には、第２実施形態と同様に、複数の乾燥用吹出方向Ｌ４〜Ｌ８の夫々についての乾燥時間ｔｎを定めることになる。
【０１５３】
〔第４実施形態〕
次に、第４実施形態を説明するが、この第４実施形態は、乾燥機用制御手段１が実行する制御作動の内容が、上記第１実施形態で述べた制御作動の内容とは異なるものの、浴室乾燥機Ａの構成は、上記第１実施形態と同様であるので、以下、乾燥機用制御手段１が実行する制御作動の内容についてのみ説明する。
ちなみに、乾燥機用制御手段１が実行する制御作動（制御処理）のうちで、第１実施形態で述べた制御作動（制御処理）と同じ内容の処理については、その具体的な説明は省略する。
【０１５４】
すなわち、乾燥機用制御手段１は、乾燥運転指令が指令されると、上記第１実施形態と同様に、先ず、予備乾燥処理を行い、次に、検査用吹出方向変更処理、及び、湿度検査処理を実行することになる。
【０１５５】
乾燥機用制御手段１は、検査用吹出方向変更処理及び湿度検査処理を終了すると、上述の第１実施形態と同様に、吹出方向設定処理、及び、乾燥用吹出方向変更処理を実行することになる。
【０１５６】
本実施形態においては、吹出方向設定条件が、複数の乾燥用吹出方向Ｌ４〜Ｌ８のうちで、複数の乾燥用吹出方向Ｌ４〜Ｌ８の夫々についての初期湿度のうちの最も高い湿度となる乾燥用吹出方向を、乾燥用空気の吹出方向として優先して設定する条件に設定されている。
具体的には、吹出方向設定条件が、乾燥用空気の吹出方向を、複数の乾燥用吹出方向Ｌ４〜Ｌ８のうちで、初期湿度が最も高い乾燥用吹出方向に設定する条件に設定されている。
【０１５７】
この第４実施形態においては、第１実施形態とは異なり、乾燥用吹出方向変更処理の実行中において、更新用湿度を計測する乾燥中湿度計測処理を行わないように構成されている。
また、この第４実施形態においては、乾燥機用制御手段１が、乾燥用空気の吹出方向を初期湿度が最も高い乾燥用吹出方向に向ける状態が、予め設定した継続時間（例えば、５分）経過すると、検査用吹出方向変更処理、及び、湿度検査処理を再度実行するように構成されている。
【０１５８】
つまり、この第４実施形態においては、吹出方向設定条件が、乾燥用空気の吹出方向を、初期湿度が最も高い乾燥用吹出方向に向けた後は、再度実行された湿度検査処理によって求められた複数の乾燥用吹出方向Ｌ４〜Ｌ８の夫々についての初期湿度に基づいて、初期湿度が最も高い乾燥用吹出方向に設定する条件に設定され、そして、乾燥用空気の吹出方向を初期湿度が最も高い乾燥用吹出方向に向けることを終了する終了条件が、予め設定した継続時間（例えば、５分）を経過する条件に設定されている。
【０１５９】
また、乾燥機用制御手段１が、上記実施形態と同様に、乾燥終了判定処理を実行して、前記未乾燥状態でないと判定するまで、検査用吹出方向変更処理及び湿度検査処理、並びに、吹出方向設定処理及び記乾燥用吹出方向変更処理を継続して実行するように構成されている。
【０１６０】
次に、乾燥機用制御手段１が実行する乾燥運転を行うための乾燥運転処理について、フローチャートに基づいて説明する。
ちなみに、乾燥機用制御手段１は、乾燥運転処理の他、浴室用リモコン２との間での通信処理や熱源機用制御手段３との間で通信処理等の他の処理を順次実行するものであるが、以下においては、乾燥機用制御手段１が乾燥運転処理のみを行うと仮定した場合のフローチャートを例示して説明する。
【０１６１】
図１０に示すように、先ず、乾燥運転指令が指令されたか否かを判別し（＃６１）、乾燥運転指令が指令されている場合には、乾燥運転開始処理を実行する（＃６２）。
乾燥運転開始処理を実行したのちは、予備乾燥処理を実行し（＃６３）、その後、検査用吹出方向変更処理、及び、湿度検査処理を実行する（＃６４）。
【０１６２】
次に、吹出方向設定処理（＃６５）、及び、この吹出方向設定処理の設定結果に基づいて乾燥用空気の吹出方向を変更する乾燥用吹出方向変更処理（＃６６）を実行する。
吹出方向設定処理は、複数の乾燥用吹出方向Ｌ４〜Ｌ８のうちで、初期湿度が最も高い乾燥用吹出方向に設定する処理である。
【０１６３】
次に、乾燥運転を実行した運転時間が６時間以内であるか否かを判断し（＃６７）、６時間以内でない場合には、停止処理を実行する（＃７３）。
【０１６４】
＃６７にて、運転時間が６時間以内であると判断したときには、次に、周期的な設定判定タイミング（例えば、２０分）であるか否かを判断する（＃６８）。
そして、設定判定タイミングでないときには、乾燥用空気の吹出方向を初期湿度が最も高い乾燥用吹出方向に向けた状態を継続する時間が、予め設定した継続時間（例えば、５分）を経過したか否かを判断する（＃７４）。
【０１６５】
＃７４にて、継続時間が経過したと判断したきには、＃６４の検査用吹出方向変更処理に移行し、また、継続時間が経過ししていないと判断したきには、＃６７の運転時間が６時間以内であるか否かの判断に移行する。
【０１６６】
＃６８にて、設定判定タイミングであると判断したときには、換気ファン１１を停止して、湿度センサ２６の検出情報に基づいて、湿度上昇値Ｄを計測する処理（＃６９）、及び、乾燥用空気の吹出方向を複数の乾燥用吹出方向Ｌ４〜Ｌ８の間で連続的に変更するように、可動ルーバ１５を連続的に揺動操作する可動ルーバのスイング作動（＃７０）を、判定時間（例えば、７分）が経過するまで行う（＃７１）。
【０１６７】
＃７１にて、判定時間（例えば、７分）が経過したことを判別したときは、湿度上昇値Ｄが、設定値以下か否かを判断し（＃７２）、湿度上昇値Ｄが設定値以下でない場合には、＃７４の継続時間が経過したか否かを判断する処理に移行する。
＃７２にて、湿度上昇値Ｄが設定値以下であると判断した場合には、＃７３の停止処理を実行することになる。
【０１６８】
尚、この第４実施形態においては、吹出方向設定条件が、複数の乾燥用吹出方向Ｌ４〜Ｌ８のうちで、複数の乾燥用吹出方向Ｌ４〜Ｌ８の夫々についての初期湿度のうちの最も高い湿度となる乾燥用吹出方向を、乾燥用空気の吹出方向として優先して設定する条件である場合において、その吹出方向設定条件を、具体的には、乾燥用空気の吹出方向を、複数の乾燥用吹出方向Ｌ４〜Ｌ８のうちで、初期湿度が最も高いひとつの乾燥用吹出方向に設定する条件に設定する場合を例示したが、複数の乾燥用吹出方向Ｌ４〜Ｌ８の夫々についての初期湿度のうちの最も高い湿度となる乾燥用吹出方向を、乾燥用空気の吹出方向として優先して設定する条件は、種々変更できる。
【０１６９】
例えば、乾燥用空気の吹出方向を、複数の乾燥用吹出方向Ｌ４〜Ｌ８のうちで、初期湿度が最も高い乾燥用吹出方向及び次に初期湿度が高い乾燥用吹出方向を設定する条件とするように、吹出方向設定条件を設定してもよい。
この場合、燥用空気の吹出方向を、複数の乾燥用吹出方向Ｌ４〜Ｌ８のうちで、初期湿度が最も高い乾燥用吹出方向及び次に初期湿度が高い乾燥用吹出方向に順次向けることになり、そして、乾燥用空気の吹出方向を、複数の乾燥用吹出方向Ｌ４〜Ｌ８のうちで、初期湿度が最も高い乾燥用吹出方向に向けることを終了する条件及び次に初期湿度が高い乾燥用吹出方向に向けることを終了する条件は、この第４実施形態に述べた如く、予め設定された経過時間が経過すると終了する条件や、第２実施形態で述べたように、それらの乾燥用吹出方向についての乾燥時間を定めて、その定めた乾燥時間が経過すると終了する条件とすることができる。
【０１７０】
〔別実施形態〕
以下、別実施形態を説明する。
【０１７１】
（１）上記第１実施形態及び第３実施形態においては、乾燥用空気の吹出方向を複数の乾燥用吹出方向の夫々の方向に順次向けかつ乾燥用空気の吹出方向を複数の乾燥用吹出方向のいずかに向けた状態を終了条件が満たされるまで維持するにあたり、その終了条件として、乾燥用空気の吹出方向である乾燥用吹出方向の更新用湿度が、次の順位の乾燥用吹出方向についての初期湿度よりも低下する条件に定める場合を例示したが、この終了条件は、次のように変更することができる。
【０１７２】
すなわち、乾燥用空気の吹出方向である乾燥用吹出方向の更新用湿度の低下速度が、設定値以下になる条件に定めることや、乾燥用空気の吹出方向である乾燥用吹出方向の更新用湿度が、その乾燥用吹出方向についての初期湿度から設定量以上低くなる条件に定めて実施することができる。
【０１７３】
（２）上記実施形態においては、換気機能付通風手段が、浴室の天井部に設置される場合を例示したが、換気機能付通風手段が、浴室の側壁部に設置される場合にも、本発明は適用できるものである。
【０１７４】
（３）上記実施形態においては、浴室内の乾燥対象領域に、被乾燥物として洗濯物が存在する場合を例示したが、乾燥対象域に存在する浴槽、壁、床部等を被乾燥物とする場合にも、本発明は適用できるものである。
【符号の説明】
【０１７５】
１      制御手段
２６    湿度検出センサ
Ｅ      乾燥対象領域
Ｆ      吹出方向変更手段
Ｊ      換気機能付通風手段
Ｙ      浴室
【図１】
0005486365.tif 000002
【図２】
0005486365.tif 000003
【図３】
0005486365.tif 000004
【図４】
0005486365.tif 000005
【図５】
0005486365.tif 000006
【図６】
0005486365.tif 000007
【図７】
0005486365.tif 000008
【図８】
0005486365.tif 000009
【図９】
0005486365.tif 000010
【図１０】
0005486365.tif 000011